(57)【要約】【課題】防犯灯の管理記号の記載が経年変化の影響を受けにくく、更には、夜間であっても管理記号が視認可能な屋外用防犯灯を提供する。【解決手段】電灯１１及びその制御部と、電灯１１を覆う透光性カバー１３とを有する屋外設置型の防犯灯１０において、透光性カバー１３の内部に、外から視認可能な管理記号を記載した透光性シート１４が設けられている。透光性シート１４は、接着剤などを用いて透光性カバー１３の内側に貼着されている場合や、掛止手段１５によって透光性カバー１３の内側に保持固定されている場合がある。【選択図】        図１
2004207167.tif 000002
【特許請求の範囲】
【請求項１】
電灯及びその制御部と前記電灯を覆う透光性カバーとを有する屋外設置型の防犯灯において、
前記透光性カバーの内部に、外から視認可能な管理記号を記載した透光性シートが設けられていることを特徴とする屋外用防犯灯。
【請求項２】
請求項１記載の屋外用防犯灯において、前記透光性シートは前記透光性カバーの内側面に貼着されていることを特徴とする屋外用防犯灯。
【請求項３】
請求項１記載の屋外用防犯灯において、前記透光性カバーの内側面には、前記透光性シートを該透光性カバーの内側面に固定支持する掛止手段が設けられていることを特徴とする屋外用防犯灯。
【請求項４】
請求項１〜３のいずれか１項に記載の屋外用防犯灯において、前記透光性シートは、透明の合成樹脂からなって、前記管理記号は、黒を含む非透光性の色彩からなっていることを特徴とする屋外用防犯灯。
【発明の詳細な説明】
【０００１】
【発明の属する技術分野】
本発明は、道路や工場等において使用する屋外用防犯灯に係り、特に、各屋外用防犯灯を識別する管理記号（文字、数字、記号を含む）の識別性を高めた屋外用防犯灯に関する。
【０００２】
【従来の技術】
従来の防犯灯としては、例えば、特許文献１に記載のように楕球状の蛍光灯を２つ入れたものや、更に、棒状の蛍光灯を１又は２個入れたものが提案されている。
そして、街路を含む道路脇には、このような防犯灯が所定距離をおいて多数配置されているが、各防犯灯は一定の期間が過ぎると劣化して、ランプや他の部品を交換する必要があり、このため、防犯灯を取付ける支柱等に防犯灯の識別ラベルが設けられている。この識別ラベルは、一般的には識別番号等を記載した単なるシールや金属片からなっている。
【０００３】
【特許文献１】
特開２００２−２９８６１４号公報（図１）
【０００４】
【発明が解決しようとする課題】
しかしながら、支柱に取付けた識別ラベルは、経年変化の影響を受けやすく、年月の経過と共に見えにくくなるという問題がある。
また、支柱に取付けた識別ラベルの照明までは防犯灯はしないので、夜間は極めて見えにくいという問題があった。
本発明はかかる事情に鑑みてなされたもので、防犯灯の管理記号の記載が経年変化の影響を受けにくく、更には、夜間であっても管理記号が視認可能な屋外用防犯灯を提供することを目的とする。
【０００５】
【課題を解決するための手段】
前記目的に沿う第１の発明に係る屋外用防犯灯は、電灯及びその制御部と前記電灯を覆う透光性カバーとを有する屋外設置型の防犯灯において、前記透光性カバーの内部に、外から視認可能な管理記号を記載した透光性シートが設けられている。これによって、管理記号を記載した透光性シートは透光性カバーによって囲まれているので、雨風が当たらず、経年変化の影響を受けない。そして、管理記号を記載した透光性シートは、電灯の光を受けて夜間であっても外部から視認できる。ここで、電灯には通常の円筒状、環状、丸形や球形の蛍光灯の他、白熱電球、水銀灯等の放電灯、その他の照明灯も含む。
【０００６】
また、第２の発明に係る屋外用防犯灯は、第１の発明に係る屋外用防犯灯において、前記透光性シートは前記透光性カバーの内側面に貼着されている。
第３の発明に係る屋外用防犯灯は、第１の発明に係る屋外用防犯灯において、前記透光性カバーの内側面には、前記透光性シートを該透光性カバーの内側面に固定支持する掛止手段が設けられている。
そして、第４の発明に係る屋外用防犯灯は、第１〜第３の発明に係る屋外用防犯灯において、前記透光性シートは、透明の合成樹脂からなって、前記管理記号は、黒を含む非透光性の色彩からなっている。
【０００７】
【発明の実施の形態】
続いて、添付した図面を参照しつつ、本発明を具体化した実施の形態につき説明し、本発明の理解に供する。
ここに、図１は本発明の一実施の形態に係る屋外用防犯灯の側面図、図２は図１における矢視Ａ−Ａ主要断面図、図３は透光性シートの取付け状態の説明図である。
【０００８】
図１〜図３に示すように、本発明の一実施の形態に係る屋外用防犯灯１０は、電灯の一例である蛍光灯１１及び図示しない制御部を含む蛍光灯本体１２と、蛍光灯本体１２に斜め下部から被さる透光性カバー（「グローブ」と称されている）１３と、透光性カバー１３内に収納されている透光性シート１４とを有している。蛍光灯１１を含む蛍光灯本体１２は既存の周知のものを使用する。
【０００９】
透光性カバー１３の内側の下端部には、図３に示すように、下部に透光性シート１４を収納する掛止手段１５が設けられている。掛止手段１５はこの実施の形態では、透光性シート１４の一端部を収納するポケット部１６と、透光性シート１４の他端部を支持する押さえ部１７とを有している。ポケット部１６は透光性カバー１３の幅方向の内側一端部に設けられ、長方形の透光性シート１４の端部が嵌入する幅広かつ有底の袋状となっている。また、押さえ部１７は、ポケット部１６に対向して透光性カバー１３の幅方向の内側他端部に設けられて、幅広トンネル状となって、一端部がポケット部１６に嵌入した透光性シート１４の他端部が挿通している。このポケット部１６と押さえ部１７によって、透光性シート１４が透光性カバー１３の内側面に接した状態を保持している。この実施の形態において、掛止手段１５をポケット部１６と押さえ部１７とに分けて構成したが、掛止手段を一体的にトンネル状又はポケット状に構成し、透光性カバー１４の全体又は一部が嵌入するようにしてもよい。
【００１０】
前記掛止手段１５と一体となった透光性カバー１３は、透明のプラスチック（例えば、ポリエチレン、アクリル、ＡＢＳ、ポリプロピレン、ポリカーボネイト等）からなって、周囲に縁部１８を有し、内部には蛍光灯１１が余裕をもって収納できる空間を有している。透光性カバー１３の下部には水抜き用の小孔が設けられている。蛍光灯本体１２のカバーケース１９の周縁には、この透光性カバー１３の縁部１８が嵌入するシール部２０が設けられている。シール部２０にはパッキン等のシール材が設けられ、カバーケース１９と透光性カバー１３との水シールを行っている。
【００１１】
前記透光性シート１４は、比較的屈曲性（又は柔軟性）及び耐熱性を有する透明の合成樹脂フィルム（例えば、ポリエステル、ポリエチレン、アクリル、塩化ビニール、ポリプロピレン、ポリイミド）からなって、その寸法は、例えば、１５ｃｍ×１０ｃｍ程度となっている。その表面には、この屋外用防犯灯１０の所属を示す管理記号の一例である番号「２６−１２３」が記載されている。この実施の形態では、この番号は黒色のインクで記載されているが、視認できる非透光性の色であれば、他の色彩であってもよい。なお、管理記号としては、番号の他、アルファベット、文字、記号の組み合わせ、例えば、会社の名称等も含まれる。また、透光性シート１４は透光性カバー１３内の雰囲気温度に十分耐える材料が使用されており、例えば、白熱灯や水銀灯等の場合には、ガラス板に管理記号を記載したもの、薄いガラス繊維板に管理記号を記載したものも含まれる。
【００１２】
使用にあっては、透光性カバー１３を蛍光灯本体１２から外し、透光性カバー１３の内側下部に、予め用意された透光性シート１４を掛止手段１５を介して挿入する。この場合、各屋外用防犯灯１０によって、透光性シート１４に記載された管理番号は異なることになる。この後、透光性カバー１３を蛍光灯本体１２に装着して作業が完了する。
透光性シート１４は透光性カバー１３の外側から読めるように管理番号が記載されている。従って、屋外に設置された場合、昼間は透光性カバー１３の外側から照射される光によって、透光性シート１４の管理番号を読むことができると共に、夜間は蛍光灯１１が点灯することによって、透光性シート１４の管理番号を読むことができる。そして、屋外用防犯灯１０の内部に透光性シート１４が入っているので、経時変化も受けにくい。
【００１３】前記実施の形態に係る屋外用防犯灯１０においては、掛止手段１５を介して透光性シート１４を透光性カバー１３の内側下部に固定したが、透光性シート１４の表面、即ち、管理番号を読む側の面に、透明の接着剤を塗布し、透光性カバー１３の内側下部に貼着することもできる。この場合、透光性シート１４には予め接着剤が塗布されていると共に、表面に付着防止用のシートが仮貼着され、しかも所定の管理記号が記載されているものを用意しておくことになる。
そして、透光性シート１４の装着にあっては、付着防止用のシートを剥がして接着剤を露出させ、透光性カバー１３の内側下部の所定位置に貼り付ける。この場合は、当然のことながら、透光性カバー１３の内側にポケット部１６や押さえ部１７は不用となる。
【００１４】
前記実施の形態において、形状、材料や寸法を特定して発明を説明したが、本発明の要旨を変更しない範囲での寸法、部材、形状を変えた場合も本発明に含まれる。例えば、透光性カバー及び透光性シートはそれぞれ透明であるのが好ましいが、光を十分通す範囲で、着色されていても本発明は適用される。
また、この実施の形態では管理記号が記載された透光性シートは、透光性カバーの内側下部に配置したが、透光性カバーの上部、中央部又は側部のいずれに配置する場合であっても本発明は適用される。
更には、透光性シートの大きさが更に小型であってもよく、これによって、屋外用防犯灯のデザイン性を低下させることがない。
【００１５】
【発明の効果】
請求項１〜４記載の屋外用防犯灯は、以上の説明からも明らかなように、透光性カバーの内部に、外から視認可能な管理記号を記載した透光性シートが設けられているので、この管理番号を外から見て、屋外用防犯灯を特定できる。そして、管理記号を記載した透光性シートは、透光性カバーの内側に設けられているので、夜間は屋外用防犯灯の照明を利用して見ることができる。
更には、管理記号を記載した透光性シートは、屋外用防犯灯の内部に配置されているで、太陽光、雨や風の影響を受けにくく、長期の寿命を有する。
【００１６】
特に、請求項２記載の屋外用防犯灯は、透光性シートは透光性カバーの内側面に貼着されているので、取付け工事が簡便である他、従来タイプの屋外用防犯灯にもそのまま本発明を適用できる。
請求項３記載の屋外用防犯灯は、透光性カバーの内側面には、透光性シートを透光性カバーの内側面に固定支持する掛止手段が設けられているので、透光性シートの取付けが容易であるほか、その取替えが容易にできる。
そして、請求項４記載の屋外用防犯灯は、透光性シートは、透明の合成樹脂からなって、管理記号は、黒を含む非透光性の色彩からなっているので、照明の減少度合いを最小にして、外部からも管理番号がよく見える。
【図面の簡単な説明】
【図１】本発明の一実施の形態に係る屋外用防犯灯の側面図である。
【図２】図１における矢視Ａ−Ａ主要断面図である。
【図３】透光性シートの取付け状態の説明図である。
【符号の説明】
１０：屋外用防犯灯、１１：蛍光灯、１２：蛍光灯本体、１３：透光性カバー、１４：透光性シート、１５：掛止手段、１６：ポケット部、１７：押さえ部、１８：縁部、１９：カバーケース、２０：シール部
【図１】
2004207167.tif 000003
【図２】
2004207167.tif 000004
【図３】
2004207167.tif 000005